(57)【要約】      （修正有）【課題】簡易な装置構成によって、電子写真感光体の母線方向の温度均一性に優れた電子写真感光体ユニットを提供する。【解決手段】円筒状の基体の表面に感光層１０１ａが形成された電子写真感光体１０１と、前記電子写真感光体１０１の内面に接触又は近接するように設置された一対の電力導入端子１０３ａおよび１０３ｂを備えた電気ヒーター１０３と、前記電子写真感光体１０１の長手方向の両端部に接触して、前記電子写真感光体１０１を支持するフランジ１０２ａおよび１０２ｂとを有する電子写真感光体ユニットであって、前記電子写真感光体１０１の母線方向の中央領域における前記電気ヒーター１０３のワット密度をｐ１とし、前記電子写真感光体１０１の母線方向の端部領域における前記電気ヒーター１０３のワット密度をｐ２としたとき、ｐ１およびｐ２が、数式（１）で示される関係を満たす。ｐ１＜ｐ２・・・数式（１）【選択図】図１Ａ
2019086547.tif 000002
【特許請求の範囲】
【請求項１】
円筒状の基体の表面に感光層が形成された電子写真感光体と、前記電子写真感光体の内面に接触又は近接するように設置された一対の電力導入端子を備えた電気ヒーターと、前記電子写真感光体の長手方向の両端部に接触して、前記電子写真感光体を支持するフランジとを有する電子写真感光体ユニットであって、
前記電気ヒーターは、前記電子写真感光体の母線方向に形成される最大画像幅以上の領域に設置され、
前記電子写真感光体の母線方向の中央領域における前記電気ヒーターのワット密度をｐ１とし、前記電子写真感光体の母線方向の端部領域における前記電気ヒーターのワット密度をｐ２としたとき、ｐ１およびｐ２が、数式（１）で示される関係を満たすことを特徴とする電子写真感光体ユニット。
ｐ１＜ｐ２・・・数式（１）
【請求項２】
前記基体は、アルミニウムを主成分とする基体であり、
前記フランジは、樹脂製であり、
前記中央領域は、前記最大画像幅を１３の領域に等分割した場合の中央の５区間であり、
前記端部領域は、前記最大画像幅を１３の領域に等分割した場合の左端の１区間および右端の１区間であり、
前記ｐ１および前記ｐ２が、数式（２）で示される関係を満たす請求項１に記載の電子写真感光体ユニット。
３×ｐ１≦ｐ２・・・数式（２）
【請求項３】
前記基体は、アルミニウムを主成分とする基体であり、
前記フランジは、アルミニウムを主成分とし、
前記中央領域は、前記最大画像幅を１３の領域に等分割した場合の中央の５区間であり、
前記端部領域は、前記最大画像幅を１３の領域に等分割した場合の左端の１区間および右端の１区間であり、
前記ｐ１および前記ｐ２が、数式（３）で示される関係を満たす請求項１に記載の電子写真感光体ユニット。
５×ｐ１≦ｐ２・・・数式（３）
【請求項４】
前記感光層が水素化アモルファスシリコンで構成された請求項１〜３のいずれか一項に記載の電子写真感光体ユニット。
【請求項５】
電子写真装置の本体に着脱可能に構成されているプロセスカートリッジであって、請求項１〜４のいずれか１項に記載の電子写真感光体ユニットを有することを特徴とするプロセスカートリッジ。
【請求項６】
請求項１〜４のいずれか一項に記載の電子写真感光体ユニットを有することを特徴とする電子写真装置。
【発明の詳細な説明】
【技術分野】
【０００１】
本発明は電子写真感光体ユニット、プロセスカートリッジおよび電子写真装置に関する。
【背景技術】
【０００２】
高湿環境下において電子写真装置で画像出力を繰り返し行った後、しばらく時間をあけて再び画像を出力したときに、文字がぼける、または、文字が印字されずに白抜けが生じるという画像不良が発生することがある。以下、この画像不良を「高湿流れ」と記す。高湿流れは、電子写真感光体の表面に吸着した水分が原因の一つであると認識されている。
従来から、高湿流れを抑えるために、電子写真用感光体を加熱し、感光体の表面に吸着した水分を低減または除去することが行われてきた。しかし、電子写真感光体を加熱する加熱手段のエリア毎の発熱量を均一にするだけでは、電子写真感光体の温度を均一に制御することは困難であった。
そこで、特許文献１には、加熱手段を複数のエリアに分割し、各々のエリアの温度を検知して、各々の加熱手段の発熱量を制御することで、電子写真感光体の電位あるいは温度を均一に制御する技術が開示されている。
【先行技術文献】
【特許文献】
【０００３】
【特許文献１】特開２００６−１５４６４８号公報
【発明の概要】
【発明が解決しようとする課題】
【０００４】
しかしながら、電子写真感光体の温度をエリア毎に制御するためには複数の加熱手段と、複数の温度検知手段と、複数の温度制御手段を必要とするため、装置構成ならびに制御が複雑となり、コストも高くなるという課題がある。
本発明は、電子写真感光体の母線方向の温度均一性に優れ、高湿流れが生じにくい電子写真感光体ユニットを提供することを目的とする。
また本発明は、電子写真感光体の母線方向の温度均一性に優れ、高湿流れが生じにくいプロセスカートリッジ及び電子写真装置を提供することを目的とする。
【課題を解決するための手段】
【０００５】
本発明の一態様によれば、
円筒状の基体の表面に感光層が形成された電子写真感光体と、前記電子写真感光体の内面に接触又は近接するように設置された一対の電力導入端子を備えた電気ヒーターと、前記電子写真感光体の長手方向の両端部に接触して、前記電子写真感光体を支持するフランジとを有する電子写真感光体ユニットであって、
前記電子写真感光体の母線方向の中央領域における前記電気ヒーターのワット密度をｐ１とし、前記電子写真感光体の母線方向の端部領域における前記電気ヒーターのワット密度をｐ２としたとき、ｐ１およびｐ２が、数式（１）で示される関係を満たす電子写真感光体ユニットが提供される。
ｐ１＜ｐ２・・・数式（１）
【０００６】
本発明の他の態様によれば、電子写真装置に着脱可能なプロセスカートリッジであって、上記の電子写真感光体ユニットを有するプロセスカートリッジが提供される。
さらに本発明の他の態様によれば、上記の電子写真感光体ユニットを有する電子写真装置が提供される。
【発明の効果】
【０００７】
本発明の一態様によれば、電子写真感光体の母線方向の温度均一性に優れ、高湿流れが生じにくい電子写真感光体ユニットを提供することができる。また、本発明の他の態様によれば、電子写真感光体の母線方向の温度均一性に優れ、高湿流れが生じにくいプロセスカートリッジおよび電子写真装置を得ることができる。
【図面の簡単な説明】
【０００８】
【図１Ａ】本発明の電子写真感光体ユニットの斜投影図である。
【図１Ｂ】本発明の電子写真感光体ユニットを構成する各要素の組み立てをイメージした図である。
【図２Ａ】本発明の電子写真感光体ユニットに搭載可能な電気ヒーターの展開図の一例である。
【図２Ｂ】本発明の電子写真感光体ユニットに搭載可能な電気ヒーターの展開図の他の例である。
【図３】比較例の電子写真感光体ユニットに搭載した電気ヒーターの展開図である。
【図４】本発明のプロセスカートリッジの一例を示す概念構成図である。
【図５】本発明の電子写真装置の一例を示す概念構成図である。
【発明を実施するための形態】
【０００９】
以下に図面を参照して、本発明を実施するための形態を例示的に詳しく説明する。ただし、以下の記載は、この発明の技術的な範囲を以下の実施の形態に限定するものではない。
【００１０】
［電子写真感光体ユニット］
図１は本発明の電子写真感光体ユニットの斜投影図である。図１Ａは電子写真感光体ユニットを構成する各要素の組み立てをイメージした図である。一方、図１Ｂは組み立て後の電子写真感光体ユニットの図である。
【００１１】
本発明の電子写真感光体ユニットは、電子写真感光体１０１と、電気ヒーター１０３と、フランジ１０２ａおよびフランジ１０２ｂから構成されている。以下では「電子写真感光体」を感光ドラムとも記載する。
電子写真感光体１０１は、アルミニウムを主成分とする円筒状の基体の表面に感光層１０１ａが形成されている。
【００１２】
電気ヒーター１０３は、一対の電力導入端子１０３ａおよび電力導入端子１０３ｂを備え、電子写真感光体１０１の内面に接触又は近接するように設置される。電力導入端子１０３ａおよび電力導入端子１０３ｂから電気ヒーター１０３に電力が供給される。電気ヒーター１０３は、電子写真感光体１０１の母線方向に形成される最大画像幅以上の領域に設置される。
【００１３】
フランジ１０２ａおよびフランジ１０２ｂは、電子写真感光体１０１の長手方向の両端部に接触して、電子写真感光体１０１を支持する。また、フランジ１０２ａおよびフランジ１０２ｂは、スリップリング１０４ａおよびスリップリング１０４ｂを保持する。
なお、電力導入端子１０３ａおよび電力導入端子１０３ｂと、スリップリング１０４ａおよびスリップリング１０４ｂとは各々不図示のケーブルで接続され、電子写真感光体ユニット外部から電力を供給できるように構成されている。
【００１４】
電子写真感光体の温度検知手段としては、温度計を、電子写真感光体ユニットの内部に搭載しても良いし、電子写真感光体ユニットの外部であるが電子写真装置の内部に搭載しても良い。なお、温度検知手段の種類に制限はないが、電子写真感光体ユニットの内部に搭載する場合には、熱電対等の接触式の温度計を用いることができる。一方、温度検知手段を電子写真感光体ユニットの外部であるが電子写真装置の内部に搭載する場合には温度を非接触で測定することが可能な放射温度計等を用いると良い。
【００１５】
なお、温度検知手段を電子写真感光体ユニットの内部に搭載する場合、温度制御手段も電子写真感光体ユニットの内部に搭載することが可能である。しかし、電子写真感光体ユニットを電子写真装置の交換部品として扱う場合には、温度検知手段および温度制御手段は電子写真感光体ユニットの外部に搭載するという構成の方がランニングコストを抑制するためにはより好ましい構成である。
【００１６】
［電気ヒーター］
図２Ａおよび図２Ｂは本発明の電子写真感光体ユニットに搭載可能な電気ヒーターの配線パターン展開図である。
図２Ａに示す電気ヒーターは、単位長さ当たりの電気抵抗が一定であるヒーター線１０３ｃがひと筆書きになっている。中央領域のヒーター線１０３ｃの間隔を疎にし、端部領域のヒーター線１０３ｃの間隔を密にすることによって、中央領域と端部領域とのワット密度分布を設定している。
一方、図２Ｂの電気ヒーターは、中央領域では複数のヒーター線１０３ｃを並列にパターニングし、端部領域は単線でパターニングすることで、中央領域と端部領域とのワット密度分布を設定している。
また、図示していないが、単位長さ当たりの電気抵抗が異なるヒーター線を各領域にパターニングして、ワット密度分布を設定しても良い。もちろん、上記の方法を組み合わせて、電気ヒーター１０３の端部領域のワット密度分布と中央領域のワット密度分布とを設定することもできる。
【００１７】
本発明では、電子写真感光体の母線方向に形成されうる最大画像幅を、電子写真感光体の母線方向に１３の領域に等分割し、左右の端部領域のワット密度と下記の中央領域のワット密度との関係を定義している。なお、中央領域とは母線方向に１３の領域に等分割したうちの中央の５区間とする。中央領域を中央の５区間とする理由は、図２Ａに示すような電気ヒーターの場合、中央の１区間を中央領域とするとその１区間にヒーター線が含まれるか否かによって、中央領域のワット密度の値が大きく変わってしまうからである。端部領域とは、最大画像幅を１３の領域に等分割した場合の左端の１区間および右端の１区間とする。
【００１８】
「端部領域および中央領域」以外の領域のワット密度については特に制限はなく、中央領域のワット密度以上かつ端部領域のワット密度未満に設定すれば良い。例えば、「端部領域および中央領域」以外の領域のワット密度は中央領域のワット密度と等しくてもよい。なお、本発明は、最大画像形成幅としてＡ３ノビサイズの短辺の長さを想定しており、Ａ３ノビサイズの短辺の長さは約１３インチであることから、端部領域は約１インチの領域である。端部領域以外の領域について、電気ヒーターのワット密度分布をあまり複雑に設定しなくてもよい。
【００１９】
その理由としては、電子写真感光体の基体として最も一般的に用いられているアルミニウム合金の熱伝導率が約１１０〜２３０Ｗ／（ｍ・Ｋ）と非常に高熱伝導率であるためである。アルミニウム合金製の基体を用いた電子写真感光体の温度を４０℃前後に制御する場合、端部領域以外では急峻な温度勾配は形成されにくく、端部領域で最大の温度勾配が形成される。
【００２０】
均一なワット密度の電気ヒーターを用いてアルミニウム合金製の基体を用いた電子写真感光体を加熱した場合に形成される温度勾配は０．１℃／ｍｍ程度であった。なお、最大画像形成幅の端部領域（幅３０ｍｍの領域）で０．１℃／ｍｍの温度勾配が発生した場合、端部領域に３℃の温度差が生じる。そのため、電子写真感光体の電位特性に温度依存性がある場合、端部領域における３℃の温度差が、電位ムラを生じさせ、そして電位ムラが画像濃度ムラを生じさせ、画像品質を低下させてしまう要因になりうる。
よって、本発明の電子写真感光体ユニットでは、電気ヒーターの中央領域のワット密度をｐ１とし、電気ヒーターの端部領域のワット密度をｐ２としたとき、ｐ１およびｐ２が下記の数式（１）で示される関係を有する電気ヒーターを採用する。
ｐ１＜ｐ２・・・数式（１）
【００２１】
なお、電子写真感光体の温度は、電気ヒーターから電子写真感光体に与えられる熱量と、電子写真感光体の表面から大気へ放出される熱量と、フランジを介して電子写真感光体の外へ放出される熱量とのバランスで決定されると考えられる。したがって、フランジの熱伝導率の影響も考慮する必要がある。一般的に電子写真感光体のフランジには、電子写真感光体を保持、回転するための役割があり、その精度や耐久性に応じて、材料が適宜選択されている。一般的に、アルミニウム合金等の金属や、ポリカーボネート、ポリアセタール等の樹脂が主に用いられている。
【００２２】
アルミニウム合金の熱伝導率はおよそ１１０〜２３０Ｗ／（ｍ・Ｋ）であり、樹脂の熱伝導率はおよそ０．１〜０．５Ｗ／（ｍ・Ｋ）である。つまり、フランジの熱伝導率に応じて、電気ヒーターの端部領域と中央領域のワット密度分布を適宜設定することがより好ましい。具体的には、樹脂製のフランジを用いる場合には、ｐ１およびｐ２が、数式（２）で示される関係を満たすことが好ましい。
３×ｐ１≦ｐ２・・・数式（２）
アルミニウム合金製のフランジを用いる場合には、ｐ１およびｐ２が、数式（３）で示される関係を満たすことが好ましい。
５×ｐ１≦ｐ２・・・数式（３）
【００２３】
［電子写真感光体］
本発明の電子写真感光体ユニットは高湿流れを抑制するために電気ヒーターを搭載している。このような電子写真感光体ユニットは、電気ヒーターを搭載していない電子写真感光体ユニットより高い耐久性を有する電子写真感光体を搭載している。より高い耐久性を有する電子写真感光体として、感光層が水素化アモルファスシリコンで構成された電子写真感光体が挙げられる。水素化アモルファスシリコンは半導体であるから、温度に応じて電気抵抗が変化するため、帯電特性や感度特性が比較的大きな温度依存性を示す場合がある。中でも帯電特性は数Ｖ／℃程度の依存性があり、電子写真感光体に温度ムラが数℃生じると、帯電電位ムラとなり画像品質に影響することが懸念される。例えば、帯電特性に３Ｖ／℃の依存性があり、最大画像形成領域内において、３℃の温度差が生じた場合には、９Ｖの帯電電位ムラ（電位差）が生じてしまう。よって、帯電特性や感度特性に温度依存性がある電子写真感光体を用いる場合には本発明の電子写真感光体ユニットは有用な技術と言える。
【００２４】
＜プロセスカートリッジ＞
図４は、電子写真感光体ユニットを有する電子写真用のプロセスカートリッジの概略断面図である。このプロセスカートリッジは、現像装置と帯電装置とを一体化し、電子写真装置の本体に着脱可能に構成されたものである。現像装置は、少なくとも現像ローラ４３とトナー容器４６とを一体化したものであり、必要に応じてトナー供給ローラ４４、トナー４９、現像ブレード４８、および攪拌羽４１０を備えていても良い。帯電装置は、電子写真感光体ユニットの感光ドラム４１、クリーニングブレード４５、および帯電ローラ４２を少なくとも一体化したものであり、廃トナー容器４７を備えていても良い。帯電ローラ４２、現像ローラ４３、トナー供給ローラ４４、および現像ブレード４８は、それぞれ電圧が印加されるようになっている。
【００２５】
＜電子写真装置＞
図５は、電子写真感光体ユニットを有する電子写真装置の概略構成図である。この電子写真装置は、四つの前記プロセスカートリッジが着脱可能に装着されたカラー電子写真装置である。各プロセスカートリッジには、ブラック、マゼンダ、イエロー、シアンの各色のトナーが使用されている。電子写真感光体ユニットの感光ドラム５１は矢印方向に回転し、帯電バイアス電源から電圧が印加された帯電ローラ５２によって一様に帯電され、露光光５１１により、その表面に静電潜像が形成される。
一方、トナー容器５６に収納されているトナー５９は、攪拌羽５１０によりトナー供給ローラ５４へと供給され、トナー供給ローラ５４から現像ローラ５３上に搬送される。そして現像ローラ９３と接触配置されている現像ブレード５８により、現像ローラ５３の表面上にトナー５９が均一にコーティングされるとともに、摩擦帯電によりトナー５９へと電荷が与えられる。
上記静電潜像は、感光ドラム５１に対して接触配置される現像ローラ５３によって搬送されるトナー５９が付与されて現像され、トナー像として可視化される。
【００２６】
可視化された感光ドラム上のトナー像は、一次転写バイアス電源により電圧が印加された一次転写ローラ５１２によって、テンションローラ５１３と中間転写ベルト駆動ローラ５１４に支持、駆動される中間転写ベルト５１５に転写される。各色のトナー像が順次重畳されて、中間転写ベルト上にカラー像が形成される。
転写材５１９は、給紙ローラ（不図示）により装置内に給紙され、中間転写ベルト５１５と二次転写ローラ５１６の間に搬送される。二次転写ローラ５１６は、二次転写バイアス電源（不図示）から電圧が印加され、中間転写ベルト５１５上のカラー像を、転写材５１９に転写する。カラー像が転写された転写材５１９は、定着器５１８により定着処理され、装置外に排紙されプリント動作が終了する。
【００２７】
一方、転写されずに感光ドラム上に残存したトナーは、クリーニングブレード５５により掻き取られて廃トナー収容容器５７に収納され、クリーニングされた感光ドラム５１は、上述の工程に繰り返し使用される。また転写されずに中間転写ベルト５１５上に残存したトナーもクリーニング装置５１７により掻き取られる。
【実施例】
【００２８】
［実施例１−１〜１−５］
本実施例では外径８４ｍｍ、内径７８ｍｍ、長さ３８１ｍｍ、厚さ３ｍｍのアルミニウム合金製の基板上に水素化アモルファスシリコンからなる感光層が形成された電子写真感光体を用いた。
また、図２Ａに示すタイプの電気ヒーターと、ポリアセタール製のフランジを用いて、図１に示す電子写真感光体ユニットを作製した。なお、前記のように、電子写真感光体に形成されうる最大画像幅（１３インチ）を電子写真感光体の母線方向に１３の領域に等分割し、左右の端部領域と中央領域におけるヒーター線の間隔を調整した。
【００２９】
本実施例では、電子写真感光体の中央領域のワット密度ｐ１と電子写真感光体の端部領域のワット密度ｐ２とを種々変更した。
なお、本実施例では端部領域以外の領域は全て中央領域のワット密度ｐ２と同じワット密度とした。
表１に示すｐ２／ｐ１の異なる電気ヒーターについて、電子写真感光体の母線方向中央の温度を第１の温度計によって測定し、得られた測定結果に基づいて温度コントローラーによって４０℃で安定するように制御した。電子写真感光体の母線方向中央の温度が安定した状態で、電子写真感光体に形成されうる最大画像幅（１３インチ）を電子写真感光体の母線方向に１３の領域に等分割した各エリアの中心位置の温度を第２の温度計によって測定した。そして、１３点の温度の最大値と最小値の差ΔＴを求めた。実施例１−１〜１−５の各電子写真感光体について求めた温度差ΔＴについて以下の基準で評価を行い、評価結果を表１に記す。なお、評価結果Ｃ以上の場合に本発明の効果が得られたと判断した。
Ａ・・・比較例１の温度差ΔＴに対して５０％未満
Ｂ・・・比較例１の温度差ΔＴに対して５０％以上７０％未満
Ｃ・・・比較例１の温度差ΔＴに対して７０％以上９０％未満
Ｄ・・・比較例１の温度差ΔＴに対して９０％以上
【００３０】
【表１】
2019086547.tif 000003
【００３１】
［比較例１］
本比較例では、搭載する電気ヒーターを図３に示すタイプのものに変更した以外は実施例１と同じ条件で、電子写真感光体ユニットを作製した。
図３に示すように、本比較例に用いた電気ヒーターは電子写真感光体に形成されうる最大画像幅（１３インチ）を電子写真感光体の母線方向に１３の領域に等分割した各エリアのヒーター線の長さを等しくした。そのため、電子写真感光体の中央領域のワット密度ｐ１と電子写真感光体の端部領域のワット密度ｐ２とは等しい。
実施例１と同様の評価を行い、１３点の温度の最大値と最小値の差ΔＴを求め、表１に結果を示した。
【００３２】
［実施例２−１〜２−５］
本実施例では、搭載する電気ヒーターを図２Ｂに示すタイプのものに変更し、アルミニウム合金製のフランジを用いたこと以外は実施例１−１〜１−５と同様にして、図１に示す電子写真感光体ユニットを作製した。
図２Ｂに示すように、電子写真感光体に形成されうる最大画像幅（１３インチ）を電子写真感光体の母線方向に１３の領域に等分割した端部領域と中央領域について、ヒーター線の配列数とヒーター線の長さを調整した。そうすることで、本実施例では、電子写真感光体の中央領域のワット密度ｐ１と電子写真感光体の端部領域のワット密度ｐ２とを種々変更した。
なお、本実施例では端部領域以外の領域は全て中央領域のワット密度ｐ２と同じワット密度とした。
表２に示すｐ２／ｐ１の異なる電気ヒーターについて、電子写真感光体の母線方向中央の温度を第１の温度計によって測定し、得られた測定結果に基づいて温度コントローラーによって４０℃で安定するように制御した。電子写真感光体の母線方向中央の温度が安定した状態で、電子写真感光体に形成されうる最大画像幅（１３インチ）を電子写真感光体の母線方向に１３の領域に等分割した各エリアの中心位置の温度を第２の温度計によって測定した。そして、１３点の温度の最大値と最小値の差ΔＴを求めた。実施例２−１〜２−５の各電子写真感光体について求めた温度差ΔＴについて以下の基準で評価を行い、評価結果を表２に記す。なお、評価結果Ｃ以上の場合に本発明の効果が得られたと判断した。
Ａ・・・比較例２の温度差ΔＴに対して５０％未満
Ｂ・・・比較例２の温度差ΔＴに対して５０％以上７０％未満
Ｃ・・・比較例２の温度差ΔＴに対して７０％以上９０％未満
Ｄ・・・比較例２の温度差ΔＴに対して９０％以上
【００３３】
【表２】
2019086547.tif 000004
【００３４】
［比較例２］
本比較例では、搭載する電気ヒーターを図３に示すタイプのものに変更した以外は実施例２と同じ条件で、電子写真感光体ユニットを作製した。
比較例２で用いた電気ヒーターは比較例１で用いた電気ヒーターと同じものである。そのため、前記のように、電子写真感光体の中央領域のワット密度ｐ１と電子写真感光体の端部領域のワット密度ｐ２とは等しい。
実施例１と同様の評価を行い、１３点の温度の最大値と最小値の差ΔＴを求め、表２に結果を示した。
【符号の説明】
【００３５】
１０１‥‥電子写真感光体
１０１ａ‥‥感光層
１０２ａ、１０２ｂ‥‥フランジ
１０３‥‥電気ヒーター
１０３ａ、１０３ｂ‥‥電力導入端子
１０３ｃ‥‥ヒーター線
１０４ａ、１０４ｂ‥‥スリップリング
【図１Ａ】
2019086547.tif 000005
【図１Ｂ】
2019086547.tif 000006
【図２Ａ】
2019086547.tif 000007
【図２Ｂ】
2019086547.tif 000008
【図３】
2019086547.tif 000009
【図４】
2019086547.tif 000010
【図５】
2019086547.tif 000011